(57)【要約】【課題】利得の低下及び装置の大型化を抑制しつつ、組み立ての作業性を向上させることができるアンテナ装置を提供する。【解決手段】ロボットアームによる挟持が容易な第２平板部２４が組み立ての作業性の向上に貢献し、実効面積が広い第１平板部２２が利得の向上に貢献する。第１平板部２２によって利得を向上させることができるので、第２平板部２４に関する実効面積を増加させる必要はない。故に、接地導体は、プリント基板３の下面側に層状に配置すればよく、プリント基板３の上面３ａに突設されて第２平板部２４に対面する接地導体は不要である。以上の結果、アンテナ装置１は、利得の低下及び装置の大型化を抑制しつつ、組み立ての作業性を向上させることができる。【選択図】図１
2016012800.tif 000002
【特許請求の範囲】
【請求項１】
プリント基板の一面にアンテナが実装してあるアンテナ装置であって、
前記アンテナは、
幅広面が前記プリント基板から離隔して対面している第１平板部と、
幅狭面が前記プリント基板から離隔して対面している第２平板部と、
前記プリント基板の前記一面に突設してあり、前記第１平板部及び第２平板部の少なくとも一方の一端部側を支持している突設部と
を有することを特徴とするアンテナ装置。
【請求項２】
前記アンテナは、
前記第１平板部及び第２平板部夫々の他端部側同士を連結する連結部
を更に有し、
前記第１平板部、前記連結部、及び前記第２平板部は、前記プリント基板に面してコ字状に配置してあることを特徴とする請求項１に記載のアンテナ装置。
【請求項３】
前記第１平板部及び第２平板部は夫々矩形平板状をなし、夫々の長手方向は同一方向であり、
前記アンテナは、前記突設部を２個有し、
一方の前記突設部は、前記第１平板部の一端部側を支持しており、
他方の前記突設部は、前記第２平板部の一端部側を支持しており、
前記プリント基板における２個の前記突設部夫々の突設位置は、前記長手方向において異なる位置であることを特徴とする請求項２に記載のアンテナ装置。
【請求項４】
前記プリント基板の前記一面に突設してあり、前記第１平板部の前記他端部側又は前記第２平板部の前記他端部側を支持している支持部を備えることを特徴とする請求項２又は３に記載のアンテナ装置。
【請求項５】
前記第２平板部は前記第１平板部よりも前記プリント基板の周縁部に接近して配置してあることを特徴とする請求項１乃至４の何れか一項に記載のアンテナ装置。
【請求項６】
前記アンテナは１枚の導電板を折り曲げてなり、
前記第２平板部の幅広面に対面する方向と前記突設部の幅広面に対面する方向とが等しいことを特徴とする請求項１乃至５の何れか一項に記載のアンテナ装置。
【発明の詳細な説明】
【技術分野】
【０００１】
本発明は、プリント基板と、プリント基板の一面に実装されたアンテナとを備えるアンテナ装置に関する。
【背景技術】
【０００２】
従来、キーレスエントリーシステム又はスマートエントリー（登録商標）システム等の車輌用施錠システムが提案されている。車輌用施錠システムでは、運転手が所持する可搬型通信装置と、車輌のドアの施錠／解錠を制御する車載制御装置とが無線通信することによって、車輌のドアの施錠／解錠が行なわれる。
可搬型通信装置及び車載制御装置夫々は、電波を用いて無線通信するためのアンテナ装置を備えている。従来のアンテナ装置は、アンテナ部と回路基板と接地導体とを備えている（特許文献１参照）。
【０００３】
特許文献１に記載のアンテナ装置が備えるアンテナ部は、回路基板に電気的に接続された接続板部と、回路基板から離隔配置された平板部とを有する。
接続板部は回路基板の一面に突設されている。
平板部は一対の幅広面と一対の幅狭面とを有する矩形平板状である。以下では、幅広面が回路基板に対面する平板部を第１平板部といい、幅狭面が回路基板に対面する平板部を第２平板部という。また、第１平板部と第２平板部とを区別しない場合、単に平板部という。
【０００４】
特許文献１には、３個の第１平板部がコ字状に配してあるアンテナ部と、３個の第２平板部がコ字状に配してあるアンテナ部とが記載してある。３個の平板部の内の１個は、接続板部の先端部に一体に設けられている。
第１平板部を有するアンテナ部の場合、層状の接地導体が回路基板の他面に設けられる。第１平板部は回路基板を介して接地導体に対面する。
第２平板部を有するアンテナ部の場合、矩形箱状の接地導体（文中「金属ケース」）が回路基板の一面に突設される。３個の第２平板部は接地導体の周囲を周回することによって接地導体に対面する。
【０００５】
アンテナ装置を手動で組み立てる場合、作業者は、アンテナ部を把持して回路基板に取り付ける。
アンテナ装置を自動的に組み立てる場合、吸着部を有するロボットアームがアンテナ部の平板部を吸着して回路基板に取り付ける。
【先行技術文献】
【特許文献】
【０００６】
【特許文献１】特許第３３６２１９４号公報
【発明の概要】
【発明が解決しようとする課題】
【０００７】
ところで、発明者らは、吸着によってアンテナ部を持ち上げるよりも、挟持によってアンテナ部を持ち上げる方が、組み立ての作業性が高いことを見出した。
そこで、発明者らは、挟持部を有するロボットアームを用いてアンテナ装置を自動的に製造することを考えた。
【０００８】
ところが、挟持部を有するロボットアームを用いる場合、回路基板と対面していない面を挟持する必要があり、また、挟持する面の幅が広いほどアンテナを安定的に支持することができる。つまり、第１平板部、又は接続板部を安定して挟持してアンテナ部を回路基板に取り付けることは困難である。一方、第２平板部を挟持してアンテナ部を回路基板に取り付けることは容易である。
とはいえ、第２平板部を有するアンテナ部と接地導体とには、回路基板の一面に矩形箱状の接地導体を突設する分だけ、アンテナ装置が大型化し易い、という難点がある。更に、組み立ての作業性が悪い、という難点もある。何故ならば、回路基板の一面に突設された接地導体の周囲を、コ字状に配された３個の第２平板部が周回するようにアンテナ装置を構成しなければならないからである。
【０００９】
そこで、発明者らは、矩形箱状の接地導体に替えて層状の接地導体を用いることを考えた。この場合、アンテナ装置を小型化し易い。また、組み立ての作業性が向上する。
【００１０】
しかしながら、この場合、第２平板部の接地導体への投影面積は、第１平板部の接地導体への投影面積よりも狭い。平板部の接地導体への投影面積は、アンテナ部の実効面積に対応するので、広い方が好ましい。
また、第２平板部から接地導体までの距離は、第１平板部から接地導体までの距離よりも短い。この距離は、アンテナ部の実効高さに対応するので、長い方が好ましい。
以上のことから、第２平板部を有するアンテナ部は、第１平板部を有するアンテナ部に比べて利得が低い。
【００１１】
本発明は斯かる事情に鑑みてなされたものであり、その主たる目的は、利得の低下及び装置の大型化を抑制しつつ、組み立ての作業性を向上させることができるアンテナ装置を提供することにある。
【課題を解決するための手段】
【００１２】
本発明に係るアンテナ装置は、プリント基板の一面にアンテナが実装してあるアンテナ装置であって、前記アンテナは、幅広面が前記プリント基板から離隔して対面している第１平板部と、幅狭面が前記プリント基板から離隔して対面している第２平板部と、前記プリント基板の前記一面に突設してあり、前記第１平板部及び第２平板部の少なくとも一方の一端部側を支持している突設部とを有することを特徴とする。
【００１３】
本発明に係るアンテナ装置は、前記アンテナは、前記第１平板部及び第２平板部夫々の他端部側同士を連結する連結部を更に有し、前記第１平板部、前記連結部、及び前記第２平板部は、前記プリント基板に面してコ字状に配置してあることを特徴とする。
【００１４】
本発明に係るアンテナ装置は、前記第１平板部及び第２平板部は夫々矩形平板状をなし、夫々の長手方向は同一方向であり、前記アンテナは、前記突設部を２個有し、一方の前記突設部は、前記第１平板部の一端部側を支持しており、他方の前記突設部は、前記第２平板部の一端部側を支持しており、前記プリント基板における２個の前記突設部夫々の突設位置は、前記長手方向において異なる位置であることを特徴とする。
【００１５】
本発明に係るアンテナ装置は、前記プリント基板の前記一面に突設してあり、前記第１平板部の前記他端部側又は前記第２平板部の前記他端部側を支持している支持部を備えることを特徴とする。
【００１６】
本発明に係るアンテナ装置は、前記第２平板部は前記第１平板部よりも前記プリント基板の周縁部に接近して配置してあることを特徴とする。
【００１７】
本発明に係るアンテナ装置は、前記アンテナは１枚の導電板を折り曲げてなり、前記第２平板部の幅広面に対面する方向と前記突設部の幅広面に対面する方向とが等しいことを特徴とする。
【００１８】
本発明にあっては、アンテナが、第１平板部と第２平板部とを有する。
第１平板部は幅広面がプリント基板に対面配置され、第２平板部は幅幅狭面がプリント基板に対面配置される。従って、プリント基板に層状の接地導体を配置した場合、第１平板部の接地導体に対する投影面積は、第２平板部に比べて広い。故に、利得が向上する。
このように、第１平板部による利得の向上が見込めるので、敢えて第２平板部による利得の向上を図る必要はない。故に、第２平板部の幅広面に対面する接地導体をプリント基板の一面に突設しなくても、特段の問題はない。従って、アンテナ装置の小型化が容易である。
【００１９】
挟持部を有するロボットアームを用いてアンテナ装置の組み立てを行なう場合、プリント基板に対面していない幅広面を有する第２平板部は、第１平板部に比べ、ロボットアームによって容易に挟持される。ロボットアームは、第２平板部を挟持することによってアンテナを持ち上げ、プリント基板に取り付ける。即ち、組み立ての作業性が向上する。
【００２０】
本発明にあっては、アンテナはプリント基板に面してコ字状であり、第１平板部と第２平板部とが、連結部の両端部（又は両端部近傍）から同一方向へ突出している。
第１平板部と第２平板部とは、連結部の長さの分だけ離隔している。故に、第２平板部に係る電波の送受信が第１平板部に係る電波の送受信に干渉することを抑制することができる。
【００２１】
アンテナの長さは、突設部、第１平板部、連結部、及び第２平板部夫々の長さの和である。一般に、アンテナの長さは、アンテナを介して送受信すべき電波の波長に応じて決定される。
以上のことから、アンテナの長さが一定の条件下で、アンテナに係るプリント基板に面する方向の寸法（例えばアンテナのプリント基板からの高さ）と、アンテナに係るプリント基板の面方向の寸法（例えば第１平板部と第２平板部との離隔距離）とを適切に設計することができる。この結果、アンテナの性能確保とアンテナの小型化とを両立することができる。
【００２２】
本発明にあっては、第１平板部及び第２平板部は夫々矩形平板状をなし、夫々の長手方向は同一方向であり、プリント基板における２個の突設部夫々の突設位置が、長手方向において異なる。このため、作業者がアンテナを第１平板部側及び第２平板部側の何れ側から見ても、２個の突設部夫々のプリント基板に対する取り付け位置を両方とも視認することができる。
従って、２個の突設部のプリント基板に対する取り付け状況（例えば半田付けの適否）の作業者による目視確認が容易である。
【００２３】
本発明にあっては、突設部と支持部とは、第１平板部及び第２平板部夫々の一端部側及び他端部側の内、少なくとも２ヶ所を支持する。故に、支持部が存在しない場合よりも第１平板部及び第２平板部を安定的に支持することができる。
【００２４】
本発明にあっては、第１平板部よりも第２平板部の方がプリント基板の周縁部近傍に配置してある。第２平板部は、第１平板部に比べて、プリント基板の周辺に位置する他部材に干渉し難いことが経験的にわかっている。つまり、アンテナ装置の組み立て、及びアンテナ装置を備える通信装置の組み立て夫々の作業性を向上させることができる。
【００２５】
本発明にあっては、突設部が第１平板部を支持している場合、突設部と第１平板部との境界、及び、第２平板部と例えば連結部との境界（第１平板部と第２平板部とが直接的に連結されている場合は第２平板部と第１平板部との境界）が平行である。故に、両者が直交する場合に比べて、導電板の折り曲げの手順が簡易になる。
一方、突設部が第２平板部を支持している場合、突設部と第２平板部との境界を折り曲げる必要はない。故に、導電板の折り曲げの手順が簡易になる。
以上の結果、組み立ての作業性が向上する。
【発明の効果】
【００２６】
本発明のアンテナ装置による場合、第２平板部が組み立ての作業性の向上に貢献し、第１平板部が利得の向上に貢献する。
故に、アンテナ装置は、直接的に又はプリント基板を介して第１平板部に対面配置される接地導体を備えていれば、第２平板部に対面配置される接地導体を備えていなくても特段の問題はない。
以上の結果、本発明のアンテナ装置は、利得の低下及び装置の大型化を抑制しつつ、組み立ての作業性を向上させることができる。
【図面の簡単な説明】
【００２７】
【図１】本発明の実施の形態に係るアンテナ装置の構成を略示する斜視図である。
【図２】アンテナ装置が備えるアンテナの構成を示す平面図である。
【図３】アンテナの構成を示す右側面図である。
【図４】アンテナの構成を示す左側面図である。
【図５】アンテナの展開図である。
【発明を実施するための形態】
【００２８】
以下、本発明を、その実施の形態を示す図面に基づいて詳述する。以下の説明では、図において矢符で示す上下、前後、及び左右を使用する。
【００２９】
図１は、本発明の実施の形態に係るアンテナ装置１の構成を略示する斜視図である。
アンテナ装置１は、電波を用いて通信する通信装置に内蔵されている。本実施の形態のアンテナ装置１は、車輌用施錠システムが備える車載制御装置４に内蔵されている。車載制御装置４は、車輌のドアの施錠／解錠を制御する制御部４１を備えている。
なお、アンテナ装置１は、車輌用施錠システムが備える図示しない可搬型通信装置に内蔵されていてもよい。また、アンテナ装置１は、内蔵型に限定されず、外付け型でもよい。
【００３０】
アンテナ装置１は、アンテナ２及びプリント基板３を備えている。
まず、プリント基板３について説明する。
プリント基板３は、多角形平板状（例えば矩形平板状）になしてある。図１及び図２では、プリント基板３の一辺部３ｂに沿う方向は前後方向である。
プリント基板３の上面３ａにおける一辺部３ｂ近傍には、アンテナ２が実装されている。
プリント基板３の下面には、図示しない層状の接地導体が実装されている。プリント基板３の下面における接地導体の実装位置は、上面３ａにおけるアンテナ２の実装位置に対応している。
【００３１】
プリント基板３には、信号処理回路３１及びコネクタ３２が実装されている。
信号処理回路３１は、例えば、アンテナ２を介して送受信すべき無線信号と、車載制御装置４の制御部４１にて処理可能な有線信号とを相互に変換する信号変換回路である。
コネクタ３２は、プリント基板３に形成されている図示しないパターン配線を介して、信号処理回路３１に電気的に接続されている。コネクタ３２は、アンテナ２及びプリント基板３を収容している図示しない筐体から露出している。コネクタ３２には通信線４２が電気的に接続してある。通信線４２には制御部４１が電気的に接続されている。コネクタ３２及び通信線４２を介して、信号処理回路３１と制御部４１との間で、有線信号が入出力される。
【００３２】
プリント基板３には、アンテナ２を実装するための接続側実装部３３１，３３２及び絶縁側実装部３３３，３３４が設けられている。
接続側実装部３３１，３３２夫々は、後述する三叉部２８が挿入される挿入孔と、挿入孔の周縁部に形成されているパターン配線とを有する。接続側実装部３３１，３３２夫々のパターン配線は、信号処理回路３１に対して電気的に接続してある。
絶縁側実装部３３３，３３４は、接続側実装部３３１，３３２と略同様の構成である。ただし、絶縁側実装部３３３，３３４夫々のパターン配線は、信号処理回路３１に対して電気的に絶縁してある。
【００３３】
接続側実装部３３１及び絶縁側実装部３３３夫々の左右方向の位置は同じである。接続側実装部３３２及び絶縁側実装部３３４夫々の左右方向の位置は同じである。接続側実装部３３２及び絶縁側実装部３３４夫々の左右方向の位置は、接続側実装部３３２及び絶縁側実装部３３４夫々の左右方向の位置よりもプリント基板３の一辺部３ｂに近い。
接続側実装部３３１，３３２夫々の前後方向の位置は、絶縁側実装部３３３，３３４よりも後ろ側である。接続側実装部３３１の前後方向の位置は、接続側実装部３３２よりも前側である。絶縁側実装部３３３，３３４夫々の前後方向の位置は同じである。
【００３４】
次に、図１及び図２〜図６を参照して、アンテナ２について説明する。
図２、図３、及び図４は、アンテナ装置１が備えるアンテナ２の構成を示す平面図、右側面図、及び左側面図である。図２には、プリント基板３の一辺部３ｂの一部が二点鎖線で示してある。
図５は、アンテナ２の展開図であり、後述する導電板５の平面図でもある。
アンテナ２は、第１突設部（突設部）２１、第１平板部２２、第２突設部（突設部）２３、第２平板部２４、連結部２５、及び支持部２６，２７を一体に備えている。
まず、アンテナ２の各部について説明する。
【００３５】
第１突設部２１は、上下方向に長い矩形平板状になしてあり、一対の幅広面が左右に向いている。第１突設部２１は、縦姿勢でプリント基板３の上面３ａに突設してある。第１突設部２１の下端部からは、三叉部２８が下方へ突出している。第１突設部２１の下端部は、三叉部２８が接続側実装部３３１の挿入孔に挿入された状態で、半田付けによって接続側実装部３３１に取り付けられている。
第１平板部２２は、前後方向に長い矩形平板状になしてあり、一対の幅広面が上下に向いている。第１平板部２２は、横姿勢でプリント基板３から離隔している。第１平板部２２は、夫々幅広面である上面及び下面の内、下面がプリント基板３の上面３ａに対面している。第１平板部２２は、プリント基板３の上面３ａに平行である。第１平板部２２の後端部は、第１突設部２１の先端部に連結してある。つまり、第１平板部２２の後端部は、第１突設部２１に支持されている。
【００３６】
第２突設部２３は、上下方向に長い矩形平板状になしてあり、一対の幅広面が左右に向いている。第２突設部２３は、縦姿勢でプリント基板３の上面３ａに突設してある。第２突設部２３の下端部からは、三叉部２８が下方へ突出している。第２突設部２３の下端部は、三叉部２８が接続側実装部３３２の挿入孔に挿入された状態で、半田付けによって接続側実装部３３２に取り付けられている。
【００３７】
第２平板部２４は、前後方向に長い矩形平板状になしてあり、一対の幅広面が左右に向いている。第２平板部２４は、縦姿勢でプリント基板３から離隔している。第２平板部２４は、夫々幅狭面である上面及び下面の内、下面がプリント基板３の上面３ａに対面している。第２平板部２４は、プリント基板３の上面３ａに垂直である。第２平板部２４の後端部は、第２突設部２３の先端部に連結してある。つまり、第２平板部２４の後端部は、第２突設部２３に支持されている。
第２平板部２４の右側の幅広面と第１平板部２２の左側の幅狭面とは対向配置してある。第２平板部２４の前後方向の長さは第１平板部２２の前後方向の長さよりも長い。第２平板部２４は第１平板部２２よりもプリント基板３の一辺部３ｂに接近配置してある。
【００３８】
連結部２５は、左右方向に長い矩形平板状になしてあり、一対の幅広面が上下に向いている。連結部２５は、横姿勢でプリント基板３から離隔しており、プリント基板３の上面３ａに平行である。連結部２５の右端部（及び左端部）は、第１平板部２２（及び第２平板部２４）の前端部に連結してある。つまり、連結部２５は、第１平板部２２及び第２平板部２４夫々の前端部同士を連結している。
【００３９】
第１平板部２２及び連結部２５は横姿勢であれば、プリント基板３の上面３ａに平行でなくてもよい。第２平板部２４は縦姿勢であれば、プリント基板３の上面３ａに垂直でなくてもよい。ただし、これらがプリント基板３の上面３ａに対して平行及び垂直である方が、そうでない場合よりも利得が高いことが実験的にわかっている。
【００４０】
支持部２６（及び支持部２７）は、上下方向に長い矩形平板状になしてあり、一対の幅広面が左右に向いている。支持部２６（及び支持部２７）は、縦姿勢でプリント基板３の上面３ａに突設してある。支持部２６（及び支持部２７）の下端部からは、三叉部２８が下方へ突出している。支持部２６（及び支持部２７）の下端部は、三叉部２８が絶縁側実装部３３３（及び絶縁側実装部３３４）の挿入孔に挿入された状態で、半田付けによって絶縁側実装部３３３（及び絶縁側実装部３３４）に取り付けられている。支持部２６（及び支持部２７）の上端部は、第１平板部２２（及び第２平板部２４）の前端部に連結してある。つまり、支持部２６（及び支持部２７）は、第１平板部２２（及び第２平板部２４）の前端部を支持している。
【００４１】
次に、アンテナ２の大略形状について説明する。
平面視のアンテナ２は、連結部２５の左右両端部から第２平板部２４及び第１平板部２２が後方へ突出するコ字状である。第１平板部２２及び第２平板部２４の長手方向は共にプリント基板３の一辺部３ｂに沿う（即ち前後方向である）。ただし、第２平板部２４の方が第１平板部２２よりもプリント基板３の一辺部３ｂに近い。
何故ならば、例えばアンテナ２が実装されたプリント基板３を筐体に収容する際に、第２平板部２４は第１平板部２２に比べて、プリント基板３の周辺に位置する他部材に干渉し難いことが経験的にわかっているからである。つまり、アンテナ装置１の組み立て、及びアンテナ装置１を備える車載制御装置４の組み立て夫々の作業性を向上させることができる。
【００４２】
正面視のアンテナ２は、連結部２５の左右両端部から支持部２７及び支持部２６が下方へ突出するコ字状である。
右側面視のアンテナ２は、第１平板部２２の前後両端部から支持部２６及び第１突設部２１が下方へ突出するコ字状であり、これらよりも奥側（左側）に、第２平板部２４の後端部から第２突設部２３が下方へ突出するＬ字状の部分がある。
左側面視のアンテナ２は、第２平板部２４の前後両端部から支持部２７及び第２突設部２３が下方へ突出するコ字状であり、第２平板部２４の陰から第１突設部２１が垂下して見える。
【００４３】
つまり、アンテナ２を右側から見ても左側から見ても、第１突設部２１及び第２突設部２３が両方とも見える。何故ならば、第１突設部２１及び第２突設部２３の前後方向の配置位置が異なる（つまり、第１突設部２１及び第２突設部２３夫々の突設位置は、第１平板部２２及び第２平板部２４の長手方向において異なる位置である）からである。故に、作業者がアンテナ２の右側及び左側の何れに位置していても、作業者は、第１突設部２１及び第２突設部２３夫々の半田付けの適否を容易に目視確認することができる。故に、作業者は、アンテナ２がプリント基板３のパターン配線を介して信号処理回路３１に確実に電気的に接続されているか否かを容易に、且つ確実に判断することができる。
【００４４】
一方、アンテナ２を右側から見ると、支持部２６によって支持部２７が目隠しされ、アンテナ２を左側から見ると、支持部２７によって支持部２６が目隠しされる。何故ならば、第１突設部２１及び第２突設部２３の前後方向の位置が同じだからである。
とはいえ、支持部２６及び支持部２７を介してアンテナ２と信号処理回路３１との電気的な接続を確保する必要はないので、支持部２６及び支持部２７のプリント基板３に対する取り付けの適否検査は、第１突設部２１及び第２突設部２３がのプリント基板３に対する取り付けの適否検査に比べれば、簡易なものであってもよい。
【００４５】
第１突設部２１の上下長さ、第１平板部２２の前後長さ、連結部２５の左右長さ、第２平板部２４の前後長さ、及び第２突設部２３の上下長さの和は、アンテナ２が送受信すべき電波の４分の１波長である。
第１突設部２１及び第２突設部２３夫々のプリント基板３からの高さは、第１平板部２２及び第２平板部２４のプリント基板３からの離隔距離である。第１平板部２２及び第２平板部２４のプリント基板３からの離隔距離が長いほど、アンテナ２の利得は大きくなるが、アンテナ装置１が上下方向に大型化し易い。
【００４６】
連結部２５の左右長さは、第１平板部２２と第２平板部２４との離隔距離である。第１平板部２２と第２平板部２４との離隔距離が長いほど、アンテナ２の利得は大きくなるが、アンテナ装置１が左右方向に大型化し易い。
第１突設部２１、第１平板部２２、第２突設部２３、第２平板部２４、及び連結部２５夫々の寸法は、アンテナ２の利得の向上とアンテナ装置１の小型化とが両立するように設計される。
【００４７】
次に、アンテナ２の形成について説明する。
アンテナ２は、図５に示す導電板５（例えば金属板）を折り曲げてなる。導電板５は、例えば錫メッキが施された真鍮を用いてなる。導電板５は第１矩形板部５１、第２矩形板部５２、第３矩形板部５３、第４矩形板部５４、第５矩形板部５５、第６矩形板部５６、及び第７矩形板部５７を一体に有する。
【００４８】
第２矩形板部５２は前後方向に長い。第１矩形板部５１及び第６矩形板部５６は左右方向に同程度に長く、第２矩形板部５２の後端部及び前端部から右方向へ突出している。
第４矩形板部５４は前後方向に長い。第３矩形板部５３及び第７矩形板部５７は左右方向に同程度に長く、第４矩形板部５４の後端部及び前端部から左方向へ突出している。第４矩形板部５４は第２矩形板部５２よりも長い。第３矩形板部５３及び第７矩形板部５７の長さは第１矩形板部５１及び第６矩形板部５６の長さと同程度である。
第５矩形板部５５は左右方向に長く、第２矩形板部５２及び第４矩形板部５４夫々の前端部同士を連結している。
【００４９】
図５に示す破線は、山折り線Ｌ１，Ｌ２，Ｌ３である。山折り線Ｌ１及び山折り線Ｌ２は、第２矩形板部５２と第１矩形板部５１及び第６矩形板部５６夫々との境界に位置している。山折り線Ｌ３は、第４矩形板部５４と第５矩形板部５５との境界に位置している。山折り線Ｌ１，Ｌ２は一直線上にあり、山折り線Ｌ３は山折り線Ｌ１，Ｌ２に平行である。故に、例えば山折り線Ｌ３が山折り線Ｌ１，Ｌ２に交差する場合よりも、導電板５の折り曲げ手順は簡易である。
図５に示す二点鎖線は、境界線Ｌ４，Ｌ５，Ｌ６である。境界線Ｌ４は第２矩形板部５２と第５矩形板部５５との境界に位置している。境界線Ｌ５及び境界線Ｌ６は、第４矩形板部５４と第３矩形板部５３及び第７矩形板部５７夫々との境界に位置している。
【００５０】
山折り線Ｌ１〜Ｌ３を夫々折り曲げると、第１矩形板部５１〜第５矩形板部５５は、第１突設部２１、第１平板部２２、第２突設部２３、第２平板部２４、及び連結部２５となり、第６矩形板部５６及び第７矩形板部５７は支持部２６及び支持部２７となる。
なお、アンテナ２は、導電板５の折り曲げによって形成される構成に限定されない。例えば、アンテナ２は、複数枚の板状導電部材の溶接、又は導電材料を用いた成形等によって形成されてもよい。
【００５１】
以上のようなアンテナ装置１を製造する場合、挟持部を有するロボットアームが用いられる。ロボットアームは、挟持部によって第２平板部２４を挟持した状態でアンテナ２を持ち上げ、第１突設部２１、第２突設部２３、及び支持部２６，２７夫々の下端部から突設されている三叉部２８を、プリント基板３に形成されている接続側実装部３３１，３３２及び絶縁側実装部３３３，３３４夫々の挿入部へ挿入する。
この後、半田付け用のロボットアームによって、第１突設部２１、第２突設部２３、支持部２６，２７の下端部が、接続側実装部３３１，３３２及び絶縁側実装部３３３，３３４のプリント配線に半田付けされる。
【００５２】
第２平板部２４を挟持してアンテナ２をプリント基板３に取り付ける作業は、例えば第１平板部２２の上面又は連結部２５の上面を吸着してアンテナ２をプリント基板３に取り付ける作業よりも作業性が高い。
第１突設部２１、及び支持部２６，２７夫々は、第２平板部２４と同様に縦姿勢に配されている。しかしながら、第１突設部２１又は支持部２６，２７を挟持してアンテナ２をプリント基板３に取り付ける作業は、作業性が悪い。何故ならば、第１突設部２１の挟持は第１平板部２２に阻害され易く、支持部２６，２７の挟持は連結部２５に阻害され易いからである。
【００５３】
第２突設部２３は、第２平板部２４と同様に縦姿勢に配されている。しかしながら、第２突設部２３を挟持することによって、第１平板部２２がプリント基板３の上面３ａに対して平行になるようアンテナ２の姿勢を保持する作業は、第２平板部２４を挟持する場合よりも困難である。
【００５４】
このようにして製造したアンテナ装置１は、アンテナ２の利得が高い。何故ならば、第２平板部２４の接地導体への投影面積は狭いが、第１平板部２２の接地導体への投影面積は広いからである。
故に、アンテナ装置１は、アンテナ２の利得を向上させる目的で、第２平板部２４に対面配置される接地導体をプリント基板３に実装する必要がない。第２平板部２４に対面配置される接地導体の不在は、アンテナ装置１の小型軽量化と、組み立ての作業性の向上とに貢献する。
以上の結果、アンテナ装置１は、アンテナ２の利得の低下とアンテナ装置１の大型化とが抑制されている。しかも、組み立ての作業性が向上している。
【００５５】
なお、アンテナ２の構成は、図１〜図４に示す構成に限定されない。
例えば、アンテナ２は、連結部２５の右端部から第１平板部２２が後方へ突出し、連結部２５の左端部から第２平板部２４が前方へ突出する構成でもよい。この場合、アンテナ２の利得は大きくなる。ただし、アンテナ装置１が前後方向に大型化し易くなる。
【００５６】
また、アンテナ２は、支持部２６，２７の一方又は両方を備えていない構成でもよい。この場合、アンテナ２及び導電板５夫々の形状は簡単になり、存在しない支持部の分だけ材料費が低減される。ただし、第１平板部２２及び／又は第２平板部２４が無用に振動し易くなる。
換言すれば、支持部２６，２７は、第１平板部２２及び第２平板部２４の安定的な支持に寄与する。
支持部２６，２７は非導電材を用いてなる構成でもよい。また、これらは板状でなくてもよい。
【００５７】
更に、アンテナ２は、第１平板部２２及び第２平板部２４夫々の前後方向の長さが同程度である構成でもよい。この場合、アンテナ２の形状は簡易になる。ただし、第１突設部２１及び第２突設部２３の前後方向の配置位置が同じになるので、第１突設部２１及び第２突設部２３夫々の目視確認が比較的困難になる。
【００５８】
更にまた、アンテナ２は、第１平板部２２の方が第２平板部２４よりもプリント基板３の一辺部３ｂに近い構成でもよい。ただし、アンテナ２が実装されたプリント基板３を筐体に収容する際に、第１平板部２２がプリント基板３の周辺に位置する他部材に干渉しないよう注意する必要がある。
【００５９】
アンテナ２は、第２突設部２３及び第２平板部２４を備えておらず、連結部２５に替えて、第２平板部２４とは異なる第２の第２平板部を備えている構成でもよい。第２の第２平板部は第１平板部２２に直接的に連結されている。平面視のアンテナ２は、第１平板部２２及び第２平板部２４を用いてなるＬ字状である。第２の第２平板部は、左右方向に長い矩形平板状になしてあり、一対の幅広面が前後に向いている。第２の第２平板部は、縦姿勢でプリント基板３から離隔しており、プリント基板３の上面３ａに垂直である。第２の第２平板部の左右両端部は、支持部２６，２７の上端部に連結してある。
ただし、このような構成のアンテナ２は、前後方向に大型化し易い。何故ならば、第１突設部２１のプリント基板３からの高さと第１平板部２２の前後方向の長さとの和が、アンテナ２が送受信すべき電波の４分の１波長だからである。
【００６０】
アンテナ２は、第２平板部２４に替えて、第２の第１平板部を備えている構成でもよい。第２の第１平板部は、第１平板部２２１と同様の形状になしてあるが、前後方向中央部が部分的に第２平板部になっている。換言すれば、第２平板部は第１平板部に直接的に連結されている。
ただし、このような構成のアンテナ２は、左右方向に大型化し易い。何故ならば、第１平板部２２１と第２の第１平板部との離隔距離を、第１平板部２２１と第２平板部２４との離隔距離よりも長くする必要があるからである。
【００６１】
アンテナ２は、第２平板部２４に替えて第３の第１平板部を備え、連結部２５に替えて、第１平板部２２と第３の第１平板部とを連結する第３の第２平板部を備えている構成でもよい。
ただし、このような構成のアンテナ２は、左右方向に大型化し易い。何故ならば、第１平板部２２１と第３の第１平板部との離隔距離を、第１平板部２２１と第２平板部２４との離隔距離よりも長くする必要があるからである。
【００６２】
第１突設部２１は第１平板部２２の後端部に連結してあるが、第１平板部２２の後端部近傍に連結してあってもよい。支持部２６は第１平板部２２の前端部に連結してあるが、第１平板部２２の前端部近傍に連結してあってもよい。
同様に、第２突設部２３（支持部２７）は第２平板部２４の後端部（前端部）に連結してあるが、第２平板部２４の後端部近傍（前端部近傍）に連結してあってもよい。第１平板部２２（第２平板部２４）は第１突設部２１（第２突設部２３）の先端部に限定されず、先端部近傍に連結してあってもよい。
【００６３】
更に利得の向上が望めるのであれば、前述した層状の接地導体の他に、第２平板部２４に対面配置された接地導体がプリント基板３に配されていてもよい。
本発明の実施の形態における突設部及び連結部は、板状に限定されず、例えば円柱状でもよい。
【００６４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、アンテナ装置１に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６５】
１    アンテナ装置
２    アンテナ
３    プリント基板
２１  第１突設部（突設部）
２２  第１平板部
２３  第２突設部（突設部）
２４  第２平板部
２５  連結部
２６，２７  支持部
５    導電板
【図１】
2016012800.tif 000003
【図２】
2016012800.tif 000004
【図３】
2016012800.tif 000005
【図４】
2016012800.tif 000006
【図５】
2016012800.tif 000007